(57)【特許請求の範囲】
【請求項１】
画像素材及び音楽素材を電子カメラから入力する処理と、
シナリオ情報を入力する処理と、
前記シナリオ情報に基づいて前記画像素材及び前記音楽素材を含む動画像ファイルを生成する処理と、
前記電子カメラから入力した素材より質が高い素材が記憶装置に存在するか否かを判定する処理と、
前記質が高い素材の存在を判定した場合に、前記電子カメラから入力した素材に代えて質が高い方の素材を前記動画像ファイルに含める処理と、をコンピュータ装置に実行させることを特徴とする動画像ファイル生成プログラム。
【請求項２】
請求項１に記載の動画像ファイル生成プログラムにおいて、
前記シナリオ情報は、前記動画像に含める画像素材、前記画像素材の登場順、前記画像素材の表示時間、および付加する映像効果を示す情報を含むことを特徴とする動画像ファイル生成プログラム。
【請求項３】
請求項１または２に記載の動画像ファイル生成プログラムにおいて、
前記シナリオ情報は、前記動画像ファイルに含める音楽素材、前記音楽素材の再生順、前記音楽素材の再生時間、および付加する音響効果を示す情報をさらに含むことを特徴とする動画像ファイル生成プログラム。
【請求項４】
請求項１〜３いずれか一項に記載の動画像ファイル生成プログラムにおいて、
前記動画像ファイルを生成する処理は、前記電子カメラからの素材入力が終了してから開始することを特徴とする動画像ファイル生成プログラム。
【請求項５】
請求項１〜４のいずれか一項に記載の動画像ファイル生成プログラムで使用されるシナリオ情報を生成することを特徴とする電子カメラ。
【発明の詳細な説明】
【技術分野】
【０００１】
本発明は、動画像ファイル生成プログラムおよび電子カメラに関する。
【背景技術】
【０００２】
動画像と同様なフォーマットの静止画像、およびその付属情報を用いて静止画像の連続再生（いわゆるスライドショー）を行う技術が知られている（特許文献１参照）。
【０００３】
【特許文献１】特開２００４−３３６５６６号公報
【発明の開示】
【発明が解決しようとする課題】
【０００４】
特許文献１の技術は、静止画像のデータを静止画データ形式で、オーディオのデータをオーディオデータ形式でそれぞれ記録しておき、これら静止画やオーディオのデータを再生順番などを示す管理情報にしたがって表示および再生する。コマンド処理を行いながらスライドショー表示を行うので、ＣＰＵの処理能力が低い場合には表示のタイミングが遅れてしまう。
【課題を解決するための手段】
【０００５】
請求項１に記載の動画ファイル生成プログラムは、画像素材及び音楽素材を電子カメラから入力する処理と、シナリオ情報を入力する処理と、前記シナリオ情報に基づいて前記画像素材及び前記音楽素材を含む動画像ファイルを生成する処理と、前記電子カメラから入力した素材より質が高い素材が記憶装置に存在するか否かを判定する処理と、前記質が高い素材の存在を判定した場合に、前記電子カメラから入力した素材に代えて質が高い方の素材を前記動画像ファイルに含める処理と、をコンピュータ装置に実行させることを特徴とする。
請求項２に記載の動画ファイル生成プログラムは、請求項１に記載の動画像ファイル生成プログラムにおいて、前記シナリオ情報は、前記動画像に含める画像素材、前記画像素材の登場順、前記画像素材の表示時間、および付加する映像効果を示す情報を含むことを特徴とする。
請求項３に記載の動画ファイル生成プログラムは、請求項１または２に記載の動画像ファイル生成プログラムにおいて、前記シナリオ情報は、前記動画像ファイルに含める音楽素材、前記音楽素材の再生順、前記音楽素材の再生時間、および付加する音響効果を示す情報をさらに含むことを特徴とする。
請求項４に記載の動画ファイル生成プログラムは、請求項１〜３いずれか一項に記載の動画像ファイル生成プログラムにおいて、前記動画像ファイルを生成する処理は、前記電子カメラからの素材入力が終了してから開始することを特徴とする。
請求項５に記載の電子カメラは、請求項１〜４のいずれか一項に記載の動画像ファイル生成プログラムで使用されるシナリオ情報を生成することを特徴とする。
【発明の効果】
【０００６】
本発明による動画像ファイル生成プログラムによれば、シナリオ表示のタイミングが遅れにくい動画像ファイルを生成できる。
また、本発明による電子カメラによれば、動画像ファイル生成プログラムが使用するシナリオ情報を生成できる。
【発明を実施するための最良の形態】
【０００７】
以下、図面を参照して本発明を実施するための最良の形態について説明する。
＜動画ファイル生成／再生装置＞
図１は、本発明の一実施の形態による電子カメラシステムを説明する図である。電子カメラシステムは、電子カメラ１０とパーソナルコンピュータ（以下ＰＣと呼ぶ）５０とで構成される。ＰＣ５０に動画ファイル生成／再生プログラムをローディングし、当該プログラムを実行させることによってＰＣ５０を動画ファイル生成／再生装置として使用する。ＰＣ５０へのプログラムのローディングは、プログラムを格納した記録媒体をＰＣ５０にセットして行ってもよいし、ネットワークを経由する方法でＰＣ５０へローディングしてもよい。
【０００８】
ＰＣ５０は電子カメラ１０との間で通信可能に構成される。両者間の通信は、図１のようにケーブルを用いた有線通信でも、不図示の無線端末を介する無線通信でもよい。
【０００９】
＜電子カメラ＞
電子カメラ１０は、撮影モードと再生モードとが切替え可能に構成される。撮影モードは、被写体像を撮影し、撮影画像のデータをメモリカードなどで構成される記録媒体（図２の符号３０）に画像ファイルとして保存する動作モードである。静止画撮影の場合は静止画像ファイルを保存し、動画撮影の場合には動画像ファイルを保存する。
【００１０】
再生モードでは、通常の再生モードとシナリオ再生モードとが選択可能に構成される。通常の再生モードは、撮影済みの画像データを記録媒体３０から読出すなどして、画像データによる再生画像を液晶モニタ（図２の符号２１）に表示するモードである。再生表示するデータに関連づけられたオーディオ（音声）データが記録されている場合には、後述するサウンド再生部（図２の符号２５）からオーディオ（音声）再生も行う。
【００１１】
シナリオ再生モードは、電子カメラ１０が作成した再生シナリオに基づいて、撮影済みの画像データとオーディオデータとを用いて動画像を液晶モニタ２１に表示するとともに、サウンド再生部２５からオーディオ再生を行うモードである。この場合の動画像は、いわゆるスライドショーのように記録画像を連続して表示させる際に、所定の映像効果（たとえば、フェードイン／アウトやパンニングなど）を付加することにより、鑑賞者に映像を動的に見せるようにしたものである。
【００１２】
ＰＣ５０および電子カメラ１０は、それぞれがシナリオ再生を可能に構成される。ただし、電子カメラ１０は簡易シナリオ再生を行い、ＰＣ５０ではフルシナリオ再生を行い、両者は異なる態様でシナリオ再生を行う。
【００１３】
以下、シナリオ再生についてさらに詳細に説明する。図２は、電子カメラ１０の要部構成を説明するブロック図である。図２において、タイミングジェネレータ(TG)１５は、メインＣＰＵ１８から送出される指示に応じて、タイミング信号をドライバ１４、ＡＦＥ(Analog Front End)回路１２およびＡ／Ｄ変換回路１３へ供給する。ドライバ１４は、撮像素子１１で必要な駆動信号を供給する。ＡＦＥ回路１２は、撮像素子１１から出力される光電変換信号に対するアナログ処理（ゲインコントロールなど）を行う。Ａ／Ｄ変換回路１３は、アナログ処理後の撮像信号をディジタル信号に変換する。
【００１４】
メインＣＰＵ１８は、各ブロックから出力される信号を入力して所定の演算を行い、演算結果に基づく制御信号を各ブロックへ出力する。画像処理回路１６は、たとえばＡＳＩＣとして構成され、Ａ／Ｄ変換回路１３から入力されるディジタル画像信号に対する画像処理を行う。画像処理には、たとえば、輪郭強調や色温度調整（ホワイトバランス調整）処理、画像信号に対するフォーマット変換処理が含まれる。
【００１５】
画像圧縮回路１７は、画像処理回路１６による処理後の画像信号に対して、JPEG方式で所定の圧縮比率の画像圧縮処理を行う。表示画像作成回路２０は、撮像画像を液晶モニタ２１に表示させるための表示データを作成する。
【００１６】
記録媒体３０は、電子カメラ１０に対して着脱可能なメモリカードなどで構成される。記録媒体３０には、メインＣＰＵ１８からの指示によって撮影画像のデータおよびその情報を含む画像ファイルが記録される。記録媒体３０に記録された画像ファイルは、メインＣＰＵ１８からの指示によって読み出しが可能である。
【００１７】
記録媒体３０にはさらに、シナリオ再生に必要な情報およびデータを含むＰＪファイル群と、オーディオ再生が可能なオーディオデータの情報を含むＭＵＳＩＣファイル群とがメインＣＰＵ１８からの指示によって記録される。記録媒体３０に記録されたＰＪファイル群およびＭＵＳＩＣファイル群は、メインＣＰＵ１８からの指示で読み出しや変更（記録内容の更新）が可能である。
【００１８】
バッファメモリ１９は、画像処理前後および画像処理途中のデータを一時的に格納する他、記録媒体３０へ記録する前の画像ファイルを格納したり、記録媒体３０から読み出した画像ファイルを格納したりするために使用される。
【００１９】
操作部材２２は、電子カメラ１０の操作ボタン類に対応し、各ボタンの押下操作に対応する操作信号をメインＣＰＵ１８へ出力する。ＡＦ装置２４は、メインＣＰＵ１８から送出される指示に応じて撮影レンズ（不図示）のフォーカス調節状態を検出し、検出結果に応じてフォーカスレンズを光軸方向に進退駆動させることにより、フォーカス調節を行う。
【００２０】
外部インターフェイス回路２３はＰＣ５０などの外部機器と接続され、所定の通信プロトコルで通信を行う。電子カメラ１０は、画像ファイル、ＰＪファイル、およびＭＵＳＩＣファイル内のデータおよび情報を、ＰＣ５０との間で外部インターフェイス回路２３を介して送受信が可能である。
【００２１】
サウンド再生部２５はスピーカおよびアンプ回路を含み、メインＣＰＵ１８からの指示に応じてオーディオデータを再生する。
【００２２】
＜シナリオ作成＞
電子カメラ１０のメインＣＰＵ１８は、操作部材２２からの操作信号によってシナリオ再生モードへの切替えが指示されると、液晶モニタ２１にシナリオ再生モード用の先頭画面（不図示）を表示させる。操作部材２２からの操作信号によって「シナリオ新規作成」が指示されると、液晶モニタ２１にシナリオ作成画面（不図示）を表示させる。
【００２３】
メインＣＰＵ１８は、操作部材２２からの操作信号に応じて記録媒体３０内にＰＪファイルを作成する。ＰＪファイルは１つの再生シナリオにつき１つ作成され、たとえば１つの記録媒体３０内に２０個まで作成可能に構成される。各ＰＪファイルは、個別に内容の変更（編集）やＰＪファイルそのものの消去が可能である。ＰＪファイルを作成する場合のメインＣＰＵ１８は、記録媒体３０に記録されている撮影画像の縮小画像（サムネイル画像）を液晶モニタ２１に表示し、操作部材２２から選択操作信号が入力された場合に、カーソルで選択されている縮小画像に対応する撮影画像をシナリオ再生に登場させる画像として登録する。
【００２４】
ＰＪファイルは以下の情報Ａ１〜情報Ａ６を含む。
Ａ１：シナリオ情報
Ａ２：シナリオ再生する画像の縮小画像データ（上記サムネイル画像に相当）
Ａ３：先頭画像の縮小画像データ（代表画像）
Ａ４：オーディオ（音楽）リスト
Ａ５：オーディオ（音楽）データ
Ａ６：シナリオ再生する画像のリンクデータ
【００２５】
Ａ１のシナリオ情報は、シナリオ再生時に表示する（登場させる）画像、当該画像の登場順、表示時間（タイミング）、映像効果（フェードイン／アウト、ズームイン／アウト、パンニング方向、オーバーラップの有無、色処理など）、オーディオ再生する音楽、当該音楽の再生順、再生時間、音響効果（フェードイン／アウトなど）を示す情報を含む。本実施形態では、記録媒体３０内に記録されている撮影画像を元画像として、記録媒体３０内に記録されている音楽データを元音楽として、シナリオ再生を行う。
【００２６】
Ａ２の縮小画像データは、元画像を電子カメラ１０の液晶モニタ２１の表示ピクセル数に合致するようにリサイズ（たとえば、３２０×２４０ピクセルデータ）したものである。情報Ａ２はシナリオ再生時に表示する全画像の縮小画像を含み、静止画の場合は静止画の縮小画像、動画の場合は所定時間（たとえば６０秒分）の縮小画像で構成される。
【００２７】
Ａ３の縮小画像データは、シナリオ再生時に表示する一連の画像を代表する縮小画像であり、通常は、登場順が一番先頭となる画像の縮小画像である。
【００２８】
Ａ４の音楽リストは、Ａ５の音楽データとＰＣ５０が有する音楽のデータとの対応関係を記した情報である。記録媒体３０には、あらかじめＭＵＳＩＣファイルとしてＰＣ５０が有する音楽のデータのリサイズ版（たとえば、サンプリング周波数２２kHz、サンプリングビット数８）が格納されている。音楽リストＡ４は、電子カメラ１０側の音楽データ（リサイズ版）に対応するＰＣ５０側の音楽データ（高音質版）を示す情報が記録される。
【００２９】
Ａ５の音楽データはオーディオ再生する音楽についての個々の音楽データを含む。電子カメラ１０は、操作部材２２からの操作信号に応じて、上記ＭＵＳＩＣファイル内の音楽データのうち指定されたものをＰＪファイル内に情報Ａ５として記録する。Ａ６のリンクデータは、シナリオ再生時に使用する撮影画像（元画像）ファイルの格納場所を記した画像リスト情報である。
【００３０】
＜電子カメラのシナリオ再生＞
メインＣＰＵ１８は、操作部材２２からの操作信号に応じてＰＪファイルを選択する。選択中は、対応するＰＪファイルから代表画像（上記Ａ３）を読み出して液晶モニタ２１に表示する。メインＣＰＵ１８はさらに、操作部材２２からの操作信号によって「シナリオ再生」が指示されると、選択しているＰＪファイル内の上記情報Ａ１〜Ａ６の内容に基づいてシナリオ再生を開始する。
【００３１】
電子カメラ１０のシナリオ再生は簡易再生であり、画像の縮小画像データ再生を行い、オーディオ再生は上記音楽データのリサイズ版によるオーディオ再生を行う。上記Ａ２の縮小画像データを用いるので、表示の際に液晶モニタ２１の表示ピクセル数に合わせてリサイズする必要がない。
【００３２】
＜シナリオ転送＞
本実施形態では、ＰＣ５０でシナリオ再生を可能にするため、必要な情報を電子カメラ１０からＰＣ５０へ転送する。具体的には、１つのＰＪファイルごとに上記情報Ａ１、Ａ２およびＡ４と、必要な元画像データのファイルとを送信する。
【００３３】
図３は、電子カメラ１０およびＰＣ５０間の転送処理の流れを説明する図である。図３において、電子カメラ１０は上述したように再生シナリオを作成し、記録媒体３０にＰＪファイルとして記録する（Ｃ１）。ＰＪファイルはそれぞれ、情報Ａ１〜情報Ａ６を含む。シナリオ転送は、作成されている全ＰＪファイルについて送信してもよいし、指示されたＰＪファイルについて送信してもよい。また、作成されているＰＪファイルのうち、新規作成もしくは編集されたＰＪファイルについて送信するように構成してもよい。本実施形態では、ＰＪファイル１およびＰＪファイル２について送信する例を説明する。
【００３４】
電子カメラ１０は、ＰＣ５０からの要求に応じて各情報およびデータを送信する。上述した無線端末を介した無線通信で送信する場合には、全送信を終了した時点で通信を終了し、無線接続を切断する（Ｃ２）。
【００３５】
一方、ＰＣ５０は動画ファイル生成／再生プログラムが実行され、電子カメラ１０との間のシナリオ転送を指示されると通信を開始する（Ｐ１）。本実施形態では、ＰＪファイル１およびＰＪファイル２についてのシナリオ転送が指示される。
【００３６】
ＰＣ５０は、電子カメラ１０へＰＪファイル１についての情報Ａ６（リンクデータ）を要求する。ＰＣ５０は、要求に応じて電子カメラ１０から送信されたＰＪファイル１についてのリンクデータを受信し、ＰＣ内へ取り込む（Ｐ２）。同様にＰＣ５０は、電子カメラ１０へＰＪファイル２についての情報Ａ６（リンクデータ）を要求する。ＰＣ５０は、要求に応じて電子カメラ１０から送信されたＰＪファイル２についてのリンクデータを受信する。
【００３７】
ＰＣ５０は、取得したリンクデータを用いて電子カメラ１０から取り込むべき画像リスト（シナリオ再生に用いる画像のリスト）を作成する（Ｐ３）。ＰＪファイル１およびＰＪファイル２間で共通する画像が存在する場合は、同じ画像ファイルを重複して電子カメラ１０からＰＣ５０へ取り込むことがないように、画像リスト上は１つとする。
【００３８】
ＰＣ５０は、上記作成した画像リスト上の撮影画像（元画像）のファイルを電子カメラ１０へ要求する。ＰＣ５０は、要求に応じて電子カメラ１０から送信された画像ファイルを受信し、ＰＣ内へ取り込む（Ｐ４）。同様にＰＣ５０は、上記画像リスト上の他の画像ファイルを電子カメラ１０へ要求する。ＰＣ５０は、要求に応じて電子カメラ１０から送信された画像ファイルを受信し、ＰＣ内へ取り込む。このように、画像リスト上の元画像のファイルを全て取得するまで繰り返す。
【００３９】
なお、画像リストを作成する際にＰＪファイル１およびＰＪファイル２間で共通する画像が存在する場合に重複送信を防止する例を説明したが、既にＰＣ５０の記憶装置内に必要な元画像のファイルを有している場合については、当該画像ファイルを上記画像リストから除外するとよい。つまり、ＰＣ５０の記憶装置内に必要な元画像ファイルが記憶されている場合は、電子カメラ１０から取得する代わりにＰＣ５０の記憶装置内から読出して使用する。
【００４０】
ＰＣ５０は、電子カメラ１０へＰＪファイル１についての情報Ａ１（シナリオ情報）、情報Ａ４（音楽リスト）、および情報Ａ５（音楽データ）を要求する。ＰＣ５０は、要求に応じて電子カメラ１０から送信されたＰＪファイル１についてのシナリオ情報、音楽リストおよび音楽データを受信し、ＰＣ内へ取り込む（Ｐ５）。同様にＰＣ５０は、電子カメラ１０へＰＪファイル２についての情報Ａ１（シナリオ情報）、情報Ａ４（音楽リスト）、および情報Ａ５（音楽データ）を要求する。ＰＣ５０は、要求に応じて電子カメラ１０から送信されたＰＪファイル２についてのシナリオ情報、音楽リストおよび音楽データを受信し、ＰＣ内へ取り込む。
【００４１】
ＰＣ５０は、電子カメラ１０から取得した音楽データ（リサイズ版）に代えて高音質版の音楽データを後述する動画像ファイルの構築に用いるように、上記音楽リストを参照して当該高音質版の音楽データファイル名を取得し（Ｐ６）、電子カメラ１０から取得した音楽データ（リサイズ版）に対応する高音質の音楽データを記憶装置内に記憶しているか否かを照合する。
【００４２】
＜動画像ファイル生成＞
ＰＣ５０は、必要な情報およびデータの取り込みを終了すると電子カメラ１０との間の通信を終了し、以下のように動画像ファイルを構築する（Ｐ７）。すなわち、再生シナリオに対応するＰＪファイルごとに、シナリオ情報、必要な画像ファイルおよび音楽データを参照し、元画像データ、音楽データなどの素材を加工してオーディオ付き再現画像を生成する。生成した一連の動画像は、動画像ファイルとしてＰＣ５０内の記憶装置に保存する。
【００４３】
具体的には、シナリオ情報で示されている画像をシナリオ情報で示される登場順、表示時間に基づいて生成する動画像の中に含め、画像の表示切替え時にはシナリオ情報で示される映像効果（フェードイン／アウト、ズームイン／アウト、パンニング方向、オーバーラップの有無、色処理など）を付加する。また、シナリオ情報で示されている音楽をシナリオ情報で示される再生順、再生時間に基づいて含め、音楽の再生切替え時にはシナリオ情報で示される音響効果（フェードイン／アウトなど）を付加する。これらの画像の表示切替えおよび音楽の再生切替えのタイミングは、シナリオ情報にしたがって同期される。
【００４４】
図４は、上記Ｐ７における１シナリオ分の動画像ファイルの生成処理の流れを説明するフローチャートである。図４のステップＳ１１において、ＰＣ５０は、シナリオ情報に記述されている名称の画像ファイルから元画像データを入力（読込み）してステップＳ１２へ進む。なお、元画像のデータサイズがＰＣ５０の表示装置の表示ピクセル数より大きい場合は、表示装置の表示ピクセル数に合致するようにリサイズ処理する。
【００４５】
ステップＳ１２において、ＰＣ５０は、シナリオ情報に含まれる映像効果の情報（画像の動きに関するもの）に基づいて、画像の表示位置および表示倍率を変更処理し、ステップＳ１３へ進む。
【００４６】
ステップＳ１３において、ＰＣ５０は、上記処理後の画像データを動画像ファイル用のフォーマットに変換してステップＳ１４へ進む。ステップＳ１４において、ＰＣ５０は、画像の切替え時間か否かを判定する。ＰＣ５０は、シナリオ情報で示される表示時間に達するとステップＳ１４を肯定判定してステップＳ１５へ進み、シナリオ情報で示される表示時間に達しない場合にはステップＳ１４を否定判定してステップＳ１６へ進む。ステップＳ１４を否定判定する場合は、ステップＳ１６において同じ画像データが続けて動画像ファイルに書き込まれる。
【００４７】
ステップＳ１５において、ＰＣ５０は、シナリオ情報に含まれる映像効果の情報（画像切替えに関するもの）に基づいて、画像データを変換してステップＳ１６へ進む。変換処理では、フェードイン／アウト、ズームイン／アウト、パンニング、オーバーラップ、色処理などが行われる。ステップＳ１５からステップＳ１６へ進む場合のＰＣ５０は、変換処理後の画像データを動画像ファイルに書き込んでステップＳ１７へ進む。
【００４８】
ステップＳ１７において、ＰＣ５０は、画像の終了時間か否かを判定する。ＰＣ５０は、シナリオ情報で示される終了時間に達するとステップＳ１７を肯定判定してステップＳ１８へ進み、シナリオ情報で示される終了時間に達しない場合にはステップＳ１７を否定判定してステップＳ１４へ戻る。ステップＳ１８へ進む場合はシナリオ情報で示される表示時間に達した場合であり、ステップＳ１４へ戻る場合はシナリオ情報で示される表示時間に達していない場合である。
【００４９】
ステップＳ１８において、ＰＣ５０は、最後の画像ファイルか否かを判定する。ＰＣ５０は、シナリオ情報で示される登場順が最後の画像ファイルを読込んでいる場合にステップＳ１８を肯定判定してステップＳ１９へ進み、シナリオ情報で示される登場順が最後の画像ファイルを読込んでいない場合にはステップＳ１８を否定判定し、ステップＳ１１へ戻る。ステップＳ１９へ進む場合はシナリオ情報で示される全画像が登場した場合であり、ステップＳ１１へ戻る場合はシナリオ情報で示される全画像が登場していない場合である。
【００５０】
ステップＳ１９において、ＰＣ５０は、生成した一連の動画像ファイルをＰＣ５０内の記憶装置に保存するとともに、図３の処理において電子カメラ１０から取込んだ全ての情報（情報Ａ６、情報Ａ１、情報Ａ４および情報Ａ５）を削除して図４による処理を終了する。
【００５１】
ＰＣ５０は、以上説明したような画像加工を作業メモリ上で再現しながら動画像ファイルを生成する。この動画像ファイルの生成は実時間で再生しながら生成するのではなく、ＰＣ５０のＣＰＵの処理能力をフルに活かした高速処理で生成する。ＰＣ５０は、ＰＪファイル１およびＰＪファイル２のそれぞれについて図４のような動画像ファイルの生成処理を繰り返し、生成した動画像ファイルを保存する。
【００５２】
＜ＰＣのシナリオ再生＞
ＰＣ５０は、キーボードなどからの操作信号に応じて動画像ファイルを選択する。選択中は、対応する動画像ファイルから先頭画像を読み出して表示装置に表示する。ＰＣ５０は、シナリオ再生を指示されると、指示された動画像ファイルの再生を開始する。ＰＣ５０のシナリオ再生はフルシナリオ再生であり、電子カメラ１０の簡易シナリオ再生で使用した音楽データ（リサイズ版）に代えて高音質版の音楽データを使用することで、オーディオ再生が電子カメラ１０の場合より高音質である。さらに、上記動画像ファイルの構築時にリサイズ処理などを施してあるので、再生しながら他のコマンド処理を行う必要がない。
【００５３】
以上説明したように本実施形態によれば、次の作用効果が得られる。
（１）撮影画像（元画像）データおよび音楽データなどの素材をシナリオ情報に基づいて加工してオーディオ付き再現画像を生成し、一連の動画像ファイルとして保存するようにした。ＰＣ５０におけるシナリオ再生は、この動画像ファイルを再生するのみでよく、画像表示およびオーディオ再生しながら素材を加工をしなくてよい。この結果、ＰＣ５０のＣＰＵの処理能力が低い場合でも、表示タイミングの遅れが生じにくい。
【００５４】
（２）上記素材は電子カメラ１０からＰＣ５０へ送信する。電子カメラ１０から取得した素材（たとえば音楽データのリサイズ版）より高品質の素材（上記例ではリサイズ版に対応する高音質版の音楽データ）をＰＣ５０側で有している場合、ＰＣ５０は、電子カメラ１０から取得した素材に代えて高品質の素材を上記加工に用いる。これにより、ＰＣ５０は、電子カメラ１０でシナリオ再生する場合より高音質のオーディオ再生を行うことができる。
【００５５】
（３）電子カメラ１０は素材を送信する前にＰＣ５０へ素材情報（上記例では情報Ａ６（リンクデータ））を送信し、ＰＣ５０は取得した素材情報を用いて電子カメラ１０から取り込むべき素材リスト（上記例ではシナリオ再生に必要な画像ファイルのリスト）を作成する。これにより、同じ素材（画像ファイル）を重複して電子カメラ１０からＰＣ５０へ送信することを防止でき、通信時間を短縮できる。
【００５６】
（４）上記加工はシナリオ単位（すなわちＰＪファイルごと）に行う。シナリオが複数存在する場合、全シナリオについて必要な素材をＰＣ５０が電子カメラ１０から取得した上で、ＰＣ５０および電子カメラ１０間の通信を終了し、動画像ファイルを各シナリオごとに続けて構築する。これにより、電子カメラ１０は、ＰＣ５０が動画像ファイルの構築を終了するのを待たずに、続けて他のシナリオ用素材をＰＣ５０へ送信することができ、通信時間を短縮できる。また、電子カメラ１０との通信を終了することで、無線接続に要する消費電力を低減できる。
【００５７】
（５）電子カメラ１０におけるシナリオ再生を簡易再生に、ＰＣ５０におけるシナリオ再生をフル再生にしたので、搭載されるＣＰＵの処理能力の差に応じた再生を行うことができる。
【００５８】
（変形例１）
上述したＰＣ５０は、ＰＪファイル１つにつき、情報Ａ１（シナリオ情報）、情報Ａ４（音楽リスト）、情報Ａ５（音楽データ）および情報Ａ６（リンクデータ）を電子カメラ１０から取得するようにした。この代わりに、情報Ａ１〜情報Ａ６の全情報を取得するように構成してもよい。
【００５９】
（変形例２）
上述したＰＣ５０は、情報Ａ５の音楽データを全て電子カメラ１０から取得するようにした。この代わりに、先に情報Ａ４（音楽リスト）を取得し、取得した音楽リストを参照することによって対応する高音質版の音楽データがＰＣ５０側に存在しないことが判明した場合に、ＰＣ５０に有していない音楽データのみを電子カメラ１０から取得するように構成してもよい。
【００６０】
（変形例３）
再生シナリオに対応するＰＪファイルを電子カメラ１０で作成する（図３のＣ１）例を説明したが、ＰＣ５０において作成する構成にしてもよい。
【００６１】
（変形例４）
素材を電子カメラ１０からＰＣ５０へ送信するようにしたが、必要な素材があらかじめＰＣ５０側に揃っている場合は送信しなくてもよい。この場合、ＰＪファイルをＰＣ５０側で作成する構成にすることで、ＰＣ５０単体で動画ファイル生成／再生装置を構成できる。
【００６２】
（変形例５）
オーディオ付き動画像ファイルを生成する例を説明したが、音楽データを省略して画像のみのファイルを生成してもよい。
【００６３】
以上の説明はあくまで一例であり、上記の実施形態の構成に何ら限定されるものではない。
【図面の簡単な説明】
【００６４】
【図１】本発明の一実施の形態による動画ファイル生成／再生装置を説明する図である。
【図２】電子カメラの要部構成を説明するブロック図である。
【図３】電子カメラおよびＰＣ間の転送処理の流れを説明する図である。
【図４】動画像ファイルの生成処理の流れを説明するフローチャートである。
【符号の説明】
【００６５】
１０…電子カメラ
５０…ＰＣ
１８…メインＣＰＵ
１９…バッファメモリ
２１…液晶モニタ
２２…操作部材
２３…外部インターフェイス回路
２５…サウンド再生部
３０…記録媒体
【図１】
0004665793.tif 000002
【図２】
0004665793.tif 000003
【図３】
0004665793.tif 000004
【図４】
0004665793.tif 000005